(57)【特許請求の範囲】
【請求項１】
測定者がセンサ装置を測定対象物に押し当てて測定する際に用いられるセンサ押付け補助具であって、
略Ｕ字状に折り曲げられて形成され、上記測定者の腕が挿入されて支持される線状の腕支持部と、該腕支持部の両端に上記測定者の腕が挿入される側とは反対側へ向かって湾曲状に延設され、上記測定対象物または該測定対象物の周囲部材に引っ掛けられる２つの線状のフック部とを備え、上記測定者の腕が挿入される方向で視て上記腕支持部の中心線と上記両フック部の中間点とが一致することを特徴とするセンサ押付け補助具。
【請求項２】
測定者がセンサ装置を測定対象物に押し当てて測定する際に用いられるセンサ押付け補助具であって、
線状の軸部と、該軸部の一端に湾曲状に延設され、上記測定者の腕が挿入されて支持される線状の腕支持部と、上記軸部の他端に上記測定者の腕が挿入される側とは反対側へ向かって湾曲状に延設され、上記測定対象物または該測定対象物の周囲部材に引っ掛けられる線状のフック部とを備え、上記測定者の腕が挿入される方向で視て上記腕支持部の中心線と上記フック部の中心線とが一致することを特徴とするセンサ押付け補助具。
【発明の詳細な説明】
【技術分野】
【０００１】
本発明は、センサ装置を測定対象物に押し当てて温度等を検出する際に用いるセンサ押付け補助具に関する。
【背景技術】
【０００２】
センサ装置として、例えば特許文献１に開示されているように、測定者がセンサ装置を手で持ち測定部（検出部）である先端部を測定対象物に押し当てて温度や振動を測定するいわゆるハンド型のものが知られている。
【先行技術文献】
【特許文献】
【０００３】
【特許文献１】特開平７−５５５４８号公報
【発明の概要】
【発明が解決しようとする課題】
【０００４】
ところで、上述したようなセンサ装置では、測定対象物への押し当て角度がずれることにより、温度等を正確に測定することができない場合があった。特に、測定対象物が多数の場合、疲労等によって測定対象物への押し当て角度がずれやすくなり、上記の問題が顕著となる。
【０００５】
本発明は、かかる事情に鑑みてなされたものであり、その目的は、センサ装置を測定対象物に押し当てる際に容易且つ正確に押し当てることができるセンサ押付け補助具を提供することにある。
【課題を解決するための手段】
【０００６】
本発明は、測定者がセンサ装置を測定対象物に押し当てて測定する際に用いられるセンサ押付け補助具を前提としている。そして、本発明のセンサ押付け補助具は、略Ｕ字状に折り曲げられて形成され、上記測定者の腕が挿入されて支持される線状の腕支持部と、該腕支持部の両端に上記測定者の腕が挿入される側とは反対側へ向かって湾曲状に延設され、上記測定対象物または該測定対象物の周囲部材に引っ掛けられる２つの線状のフック部とを備えているものである。さらに、本発明のセンサ押付け補助具は、上記測定者の腕が挿入される方向で視て上記腕支持部の中心線と上記両フック部の中間点とが一致するものである。
【０００７】
また、別の本発明は、前提は上記の発明と同様とし、線状の軸部と、該軸部の一端に湾曲状に延設され、上記測定者の腕が挿入されて支持される線状の腕支持部と、上記軸部の他端に上記測定者の腕が挿入される側とは反対側へ向かって湾曲状に延設され、上記測定対象物または該測定対象物の周囲部材に引っ掛けられる線状のフック部とを備えるセンサ押付け補助具である。そして、本発明のセンサ押付け補助具は、上記測定者の腕が挿入される方向で視て上記腕支持部の中心線と上記フック部の中心線とが一致するものである。
【発明の効果】
【０００８】
本発明によれば、上述した腕支持部とフック部を備えているため、図２および図４に示すように、測定者の手首が腕支持部に支持され、その腕支持部を支点とする「てこの原理」により、センサ装置を測定対象物に真っ直ぐ且つ少しの力で押し当てることができる。よって、容易且つ正確にセンサ装置を押し当てることができ、温度等の測定精度を向上させることが可能になる。
【図面の簡単な説明】
【０００９】
【図１】図１は、実施形態１に係るセンサ押付け補助具の構成を示す斜視図である。
【図２】図２は、実施形態１に係るセンサ押付け補助具の使用時の状態を示す側面図である。
【図３】図３は、実施形態２に係るセンサ押付け補助具の構成を示す正面図である。
【図４】図４は、実施形態２に係るセンサ押付け補助具の使用時の状態を示す側面図である。
【発明を実施するための形態】
【００１０】
以下、本発明の実施形態について図面を参照しながら説明する。なお、以下の実施形態は、本質的に好ましい例示であって、本発明、その適用物、あるいはその用途の範囲を制限することを意図するものではない。
【００１１】
《実施形態１》
本発明の実施形態１について図１および図２を参照しながら説明する。本実施形態のセンサ押付け補助具１０は、測定者がセンサ装置１を測定対象物５（例えば、スチームトラップ）に押し当てて測定する際に用いられるものである。センサ装置１は、その先端部２が測定対象物５に直接押し当てられることにより、測定対象物５の温度や振動等を検出する、いわゆるハンディタイプのセンサである。
【００１２】
センサ押付け補助具１０は、全体が線状部材によって形成されており、腕支持部１１と２つのフック部１４とを備えている。線状部材は、金属や樹脂等の材料で形成されている。
【００１３】
腕支持部１１は、略Ｕ字状に折り曲げられて形成されている。腕支持部１１では、折り曲げ部１２の両端に脚部１３が連続して形成されている。折り曲げ部１２は、測定者の腕が挿入されて支持される。２つの脚部１３は、互いの間隔が折り曲げ部１２側から次第に拡がるように形成されている。
【００１４】
フック部１４は、腕支持部１１の２つの脚部１３の端部（即ち、腕支持部１１の両端）に延設されている。フック部１４は、腕支持部１１の測定者の腕が挿入される側とは反対側へ向かって湾曲状に延設されている。ここに、腕支持部１１の測定者の腕が挿入される側とは図２において腕支持部１１の右側を意味し、その反対側とは図２において腕支持部１１の左側を意味する。フック部１４は、腕支持部１１の脚部１３の軸方向において折り曲げ部１２から遠ざかる方へ突出するように湾曲している。フック部１４は、測定対象物５または該測定対象物５の周囲部材に引っ掛けられる。
【００１５】
そして、センサ押付け補助具１０は、図１に示すように、測定者の腕が挿入される方向（以下、腕の挿入方向ともいう。）で視て、腕支持部１１の中心線Ｃと両フック部１４の中間点Ｐとが一致するように形成されている。中心線Ｃは折り曲げ部１２の頂部を通る線であり、中間点Ｐは両フック部１４の頂部の間の中間位置である。つまり、センサ押付け補助具１０は、腕の挿入方向に視る平面視で、中心線Ｃを対称軸とする線対称になっている。
【００１６】
本実施形態のセンサ押付け補助具１０によれば、図２に示すように、測定者の腕が腕支持部１１の折り曲げ部１２に挿入されて手首が支持された状態となり、いわゆる「てこの原理」が適用される。即ち、手首を支持する折り曲げ部１２が支点（中心線Ｃの位置）となり、センサ装置１を持つ手の位置（センサ装置１の中心位置）が作用点となり、肘の位置が力点となる。そのため、肘を少し上げることにより、センサ装置１の先端部２が測定対象物５に押し当てられる。ここで、支点から作用点までの距離Ｌ１は支点から力点までの距離Ｌ２より短いため、肘を上げる力Ｆ２が少しでも、センサ装置１の押し当て力Ｆ１は大きくなる。したがって、測定者は少しの力でセンサ装置１を測定対象物５に押し当てることができる。
【００１７】
また、上述したように腕支持部１１の中心線Ｃと両フック部１４の中間点Ｐとが一致しているため、肘を上げる際に腕支持部１１に作用する力は２つのフック部１４で均等に支持される。そのため、肘を上げる際、腕支持部１１で支持された手首をぐらつかせることなく安定させることができる。よって、センサ装置１を測定対象物５に真っ直ぐ押し当てることができる。以上により、容易且つ正確にセンサ装置１を押し当てることが可能となり、温度等の測定精度を向上させることができる。
【００１８】
《実施形態２》
本発明の実施形態２について図３および図４を参照しながら説明する。本実施形態のセンサ押付け補助具２０は、上記実施形態１と同様、測定者がセンサ装置１を測定対象物５（例えば、スチームトラップ）に押し当てて測定する際に用いられるものである。センサ押付け補助具２０は、全体が線状部材によって形成されており、軸部２１と、腕支持部２２と、フック部２３とを備えている。線状部材は、金属や樹脂等の材料で形成されている。
【００１９】
軸部２１は、略Ｓ字状に形成されている。腕支持部２２は、湾曲状に形成されており、軸部２１の一端に延設されている。腕支持部２２は、測定者の腕が挿入されて支持される。フック部２３は、軸部２１の他端に延設されている。フック部２３は、腕支持部２２の測定者の腕が挿入される側とは反対側へ向かって湾曲状に延設されている。ここに、腕支持部２２の測定者の腕が挿入される側とは図４において腕支持部２２の右側を意味し、その反対側とは図４において腕支持部２２の左側を意味する。腕支持部２２とフック部２３とは、互いに逆方向に突出するように湾曲している。そして、フック部２３は、測定対象物５または該測定対象物５の周囲部材に引っ掛けられる。
【００２０】
そして、センサ押付け補助具２０は、図３および図４に示すように、測定者の腕が挿入される方向（以下、腕の挿入方向ともいう。）で視て、腕支持部２２の中心線Ｃ１とフック部２３の中心線Ｃ２とが一致するように形成されている。中心線Ｃ１は腕支持部２２の頂部を通る線であり、中心線Ｃ２はフック部２３の頂部を通る線である。つまり、センサ押付け補助具２０では、フック部２３の形成面が腕支持部２２の中心線Ｃ１を含み且つ腕支持部２２の形成面と直交している。
【００２１】
本実施形態のセンサ押付け補助具２０によれば、上記実施形態１と同様の作用効果を奏する。具体的に、センサ押付け補助具２０によれば、図４に示すように、測定者の腕が腕支持部２２に挿入されて手首が支持された状態となり、いわゆる「てこの原理」が適用される。即ち、手首を支持する腕支持部２２が支点（中心線Ｃ１の位置）となり、センサ装置１を持つ手の位置（センサ装置１の中心位置）が作用点となり、肘の位置が力点となる。そのため、肘を少し上げることにより、センサ装置１の先端部２が測定対象物５に押し当てられる。ここで、支点から作用点までの距離Ｌ１は支点から力点までの距離Ｌ２より短いため、肘を上げる力Ｆ２が少しでも、センサ装置１の押し当て力Ｆ１は大きくなる。したがって、測定者は少しの力でセンサ装置１を測定対象物５に押し当てることができる。
【００２２】
また、上述したように腕支持部２２の中心線Ｃ１とフック部２３の中心線Ｃ２とが一致しているため、肘を上げる際、腕支持部２２で支持された手首をぐらつかせることなく安定させることができる。よって、センサ装置１を測定対象物５に真っ直ぐ押し当てることができる。以上により、本実施形態においても、容易且つ正確にセンサ装置１を押し当てることが可能となり、温度等の測定精度を向上させることができる。
【００２３】
なお、上記各実施形態のセンサ押付け補助具１０，２０は、測定対象物５に対するセンサ装置１の押し当て方向の別は問わない。つまり、本発明に係るセンサ押付け補助具１０，２０は、センサ装置１を例えば測定対象物５の上方から押し当てる場合でも、下方から押し当てる場合でも、左右の側方から押し当てる場合でも、同様の作用効果を奏する。
【産業上の利用可能性】
【００２４】
本発明は、センサ装置を測定対象物に押し当てて温度等を検出する際に用いるセンサ押付け補助具について有用である。
【符号の説明】
【００２５】
１        センサ装置
５        測定対象物
１０，２０      センサ押付け補助具
１１，２２      腕支持部
１４，２３      フック部
２１      軸部
Ｃ，Ｃ１，Ｃ２      中心線
Ｐ        中間点
【図１】
0006317188.tif 000002
【図２】
0006317188.tif 000003
【図３】
0006317188.tif 000004
【図４】
0006317188.tif 000005